(57)【要約】【課題】ラスタ形式（ビットマップ形式）の画像に変倍処理をした場合であっても、線領域の視認性が損なわれない画像形成技術を提供する。【解決手段】変倍前の画像を構成する原画素のうち線を構成する線画素を識別する識別ステップ（Ｓ１３）と、変倍後の画像を構成する処理画素に前記線画素が含まれる場合は、前記線画素の濃度値をこの処理画素の濃度値に決定する濃度決定ステップ（Ｓ１６，Ｓ１７）と、前記処理画素に前記線画素が含まれない場合は、この処理画素を注目画素とする周辺画素を考慮してこの処理画素の濃度値を演算する濃度演算ステップ（Ｓ１８）と、を備えることを特徴とする。【選択図】  図３
2009189010.tif 000002
【特許請求の範囲】
【請求項１】
変倍前の画像を構成する原画素のうち線領域を構成する線画素を識別する識別手段と、
変倍後の画像を構成する処理画素に前記線画素が含まれる場合は、前記線画素の濃度値をこの処理画素の濃度値に決定する濃度決定手段と、
前記処理画素に前記線画素が含まれない場合は、この処理画素を注目画素とする周辺画素を考慮してこの処理画素の濃度値を演算する濃度演算手段と、を備えることを特徴とする画像形成装置。
【請求項２】
前記濃度決定手段は、
前記処理画素が前記線画素及びそれ以外の画素を含んでいる場合にこの処理画素におけるこの線画素の寄与率が、
規定値以上であれば前記線画素の濃度値をこの処理画素の濃度値に決定し、
前記規定値未満であれば前記濃度演算手段の演算値を処理画素の濃度値に決定することを特徴とする請求項１に記載の画像形成装置。
【請求項３】
前記変倍後の画像は、前記変倍前の画像に対して解像度を低くした縮小画像であることを特徴とする請求項１又は請求項２に記載の画像形成装置。
【請求項４】
前記変倍後の画像は、前記変倍前の画像に対して解像度を高くした拡大画像であることを特徴とする請求項１又は請求項２に記載の画像形成装置。
【請求項５】
変倍前の画像を構成する原画素のうち線領域を構成する線画素を識別する識別ステップと、
変倍後の画像を構成する処理画素に前記線画素が含まれる場合は、前記線画素の濃度値をこの処理画素の濃度値に決定する濃度決定ステップと、
前記処理画素に前記線画素が含まれない場合は、この処理画素を注目画素とする周辺画素を考慮してこの処理画素の濃度値を演算する濃度演算ステップと、を備えることを特徴とする画像形成方法。
【請求項６】
前記濃度決定ステップは、
前記処理画素が前記線画素及びそれ以外の画素を含んでいる場合にこの処理画素におけるこの線画素の寄与率が、
規定値以上であれば前記線画素の濃度値をこの処理画素の濃度値に決定し、
前記規定値未満であれば前記濃度演算手段の演算値を処理画素の濃度値に決定することを特徴とする請求項５に記載の画像形成方法。
【請求項７】
前記変倍後の画像は、前記変倍前の画像に対して解像度を低くした縮小画像であることを特徴とする請求項５又は請求項６に記載の画像形成方法。
【請求項８】
前記変倍後の画像は、前記変倍前の画像に対して解像度を高くした拡大画像であることを特徴とする請求項５又は請求項６に記載の画像形成方法。
【発明の詳細な説明】
【技術分野】
【０００１】
本発明は、画像形成技術に関し、特にラスタ形式（ビットマップ）の画像を拡大及び縮小する技術に関する。
【背景技術】
【０００２】
近年、プリンタ、スキャナ、コピー機、ＦＡＸなどの機能を兼ねる複合機（ＭＦＰ；Ｍｕｌｔｉｆｕｎｃｔｉｏｎ  Ｐｅｒｉｐｈｅｒａｌ）が、個人事業者や小規模事業所を中心に広く普及している。これにともない、業務上不可欠なＦＡＸの送受信は、複合機に標準装備されているＰＣ−ＦＡＸ機能を用いて、紙媒体を経由することなくＬＡＮ上のＰＣから直接行うことが一般的になってきた。
【０００３】
このようなＰＣ−ＦＡＸ機能を用いる場合、ＰＣ上で作成された任意のファイルフォーマットの画像データを、複合機において、受信側のＦＡＸ装置が所望するフォーマットの画像データに変換する必要がある。
【０００４】
つまり、Ｐｏｓｔ  Ｓｃｒｉｐｔ等のページ記述言語で表現された画像データを、ＲＩＰ（Ｒａｓｔｅｒ  Ｉｍａｇｅ  Ｐｒｏｃｅｓｓｏｒ）等の画像形成手段により、ラスタ形式（ビットマップ形式）の画像データに変換する必要がある。
【０００５】
さらに、このラスタ形式に変換された画像データは、ＦＡＸで要求される解像度に変更される（Ｇ３規格では水平・垂直ともに最大２００ｄｐｉ、Ｇ４規格では水平・垂直ともに最大４００ｄｐｉ）。
【０００６】
なお、このように変倍されたラスタ形式の画像の再現性を向上させるさまざまな従来技術が知られている（例えば、特許文献１、特許文献２）。
【先行技術文献】
【特許文献】
【０００７】
【特許文献１】特開平１１−３２２１０号公報
【特許文献２】特開２００４−２８２５３２号公報
【発明の概要】
【発明が解決しようとする課題】
【０００８】
しかし、従来技術では、図１０に示されるように画像を縮小して変倍する場合、この縮小画像を構成する細字又は細線の濃度値が低下し又は画素が欠落するといった未解決の課題が存在している。
【０００９】
ここで、拡大された線部分を構成する画素の濃度値は、簡単のために０〜５の６段階で階調表示されている。
【００１０】
本発明はこのような事情を考慮してなされたもので、ラスタ形式の画像に変倍処理をした場合であっても、細字や細線等の視認性が損なわれない画像形成技術を提供することを目的とする。
【課題を解決するための手段】
【００１１】
本発明に係る画像形成装置は、変倍前の画像を構成する原画素のうち線を構成する線画素を識別する識別手段と、変倍後の画像を構成する処理画素に前記線画素が含まれる場合は前記線画素の濃度値をこの処理画素の濃度値に決定する濃度決定手段と、前記処理画素に前記線画素が含まれない場合はこの処理画素を注目画素とする周辺画素を考慮してこの処理画素の濃度値を演算する濃度演算手段と、を備えることを特徴とする。
【００１２】
さらに前記濃度決定手段は、前記処理画素に前記線画素及びそれ以外の画素が含まれる場合にこの処理画素におけるこの線画素の寄与率が、規定値以上であれば前記線画素の濃度値をこの処理画素の濃度値に決定し、前記規定値未満であれば前記濃度演算手段の演算値を処理画素の濃度値に決定することを特徴とする。
【発明の効果】
【００１３】
本発明によれば、ラスタ形式の画像を拡大及び縮小する画像形成技術において、変倍処理をした場合であっても、線領域の視認性が損なわれない画像形成技術が提供される。
【図面の簡単な説明】
【００１４】
【図１】本発明に係る画像形成装置の実施形態が適用される複合機の機能ブロック図。
【図２】実施形態に係る画像形成装置の機能ブロック図。
【図３】実施形態に係る画像形成方法のフローチャート。
【図４】実施形態に係る画像形成装置（方法）を適用して縮小された画像。
【図５】実施形態に係る画像形成装置（方法）を適用した画像縮小の原理説明図。
【図６】実施形態に係る画像形成装置（方法）を適用した画像縮小の効果説明図。
【図７】実施形態に係る画像形成装置（方法）を適用して拡大された画像。
【図８】実施形態に係る画像形成装置（方法）を適用した画像拡大の原理説明図。
【図９】実施形態に係る画像形成装置（方法）を適用した画像拡大の効果説明図。
【図１０】従来技術の問題点の説明図。
【発明を実施するための形態】
【００１５】
図１は、本発明に係る画像形成装置２０の実施形態が適用されるコピー・ＦＡＸ複合機１０（以下、複合機１０という）の機能ブロック図である。
【００１６】
この複合機１０は、ＬＡＮに接続しデータを送受信する通信インターフェイス１１と、光学的手段により印字情報を読み取るスキャナ部１２と、読み取られた前記印字情報及びＬＡＮ経由で送受信される情報を一時格納するメモリ部１３と、この一時格納されている情報をプリントアウトするプリンタ部１４と、電話回線網３２に接続しデータを送受信するＦＡＸモデム１５と、後で詳述する画像形成装置２０と、これら機能部の動作を制御する制御部１６とから構成される。
【００１７】
このように構成される複合機１０は、ＬＡＮ上で他の周辺機器（端末装置３１等）と共有化され、このＬＡＮのプロトコルに従って相互通信ができるようになっている。
【００１８】
さらに複合機１０を介して、ＬＡＮ上の端末装置３１が、電話回線網３２上の他の端末装置３３（ＦＡＸ装置３３）と通信ができるようになっている。
【００１９】
これにより、ＬＡＮ上の端末装置３１のアプリケーションで作成された画像データを、プリンタ部１４に出力させたり、ＦＡＸモデム１５を介して外部にＦＡＸ送信させたりすることができる。
【００２０】
図２は、画像形成装置２０の実施形態を示す機能ブロック図である。
【００２１】
この画像形成装置２０は、データ入力手段２１と、画像データ生成手段２２と、線領域識別手段２３と、変倍処理手段２４と、データ出力手段２５とから構成されている。
【００２２】
このように構成される画像形成装置２０は、入力される任意フォーマットの画像データを、ラスタ形式の画像データに変換しさらに所望の解像度に変換してから出力装置（ＦＡＸ装置３３等）に送信するものである。
【００２３】
画像データ生成手段２２は、端末装置３１上のアプリケーションで作成された任意フォーマットの画像データを、ラスタ形式（ビットマップ形式）の画像データに変換処理するものである。
【００２４】
つまり、画像データ生成手段２２は、データ入力手段２１から入力された原画像を標本化して、ｊ×ｋ個のマトリックス状の画素に分割し（図４参照）、それぞれの画素における輝度の濃淡を量子化して離散的な濃度値に変換する。
【００２５】
なお、このような画素の量子化は、例えば８ビット２５６階調等の多値である場合の他、０ビットの二値である場合も含まれる。
【００２６】
線領域識別手段２３は、ラスタライズされた画像データにおいて、文字を構成する細字領域、及び線画の細線領域を識別するものである。このような、細字／細線領域の識別は、ラスタライズされた画像データを構成する画素のうち選択された一つの注目画素に対し、この注目画素を含む周辺画素の濃度値を参照する方法の他、一般的な公知の方法を採用することができる。
【００２７】
線領域識別手段２３は、画像データを構成する各画素毎に、細字領域又は細線領域に含まれるか否かを判断し、含まれると判断された画素にその旨のフラグをたてて、線画素として識別する。
【００２８】
変倍処理手段２４は、設定された変倍率α、あるいは入力された画像の解像度とＦＡＸ規格の解像度とから定まる変倍率αに基づいて、入力された原画像を主走査方向及び副走査方向についてそれぞれα倍した処理画像を生成するものである。
【００２９】
ここで、変倍率αは、原画像の主走査方向の画素数ｊに対し、出力装置（ＦＡＸ装置３３（図１参照））の所望する主走査方向の画素数ｐとした場合、α＝ｐ／ｊのように設定される。この場合、原画像の副走査方向が画素数ｋであれば、処理画像の副走査方向の画素数ｑは、ｑ＝α・ｋと表される（図４、図７参照）。
【００３０】
そして、データ出力手段２５は、ｊ×ｋ画素の原画像データから変倍処理されたｐ×ｑ画素の処理画像データを、画像形成装置２０の外部に出力する。
【００３１】
なお、ユーザが変倍率を設定するような場合、主走査方向と副走査方向の変倍率は必ずしも同じ必要はないが、以下では主走査方向と副走査方向とで同じ変倍率を持つものとして説明する。
【００３２】
＜画像縮小の説明＞
図３のフローチャートに基づいて、本実施形態において画像を縮小させる場合の変倍処理手段２４の動作（画像形成方法）について説明する。なお、この動作を実行する各手段は、具体的な機能素子で体現される場合の他、コンピュータを制御する機能プログラムとして体現される場合も含まれる。
【００３３】
ラスタライズされたｊ×ｋ画素の原画像（図４上段）と、出力装置（ＦＡＸ装置３３（図１参照））の所望する主走査方向の解像度（ｐ画素）と、から求めた変倍率（α＝ｐ／ｊ）が、α＜１の関係を満たせば、縮小画像（図４下段）の形成ルーチン（Ｓ１２〜Ｓ１８）に入る（Ｓ１１；Ｙｅｓ）。
【００３４】
そして、図５に示されるように、一画素のピッチｓに対し、ｓ／αの間隔で表される画素区画を設定する（Ｓ１２）。この画素区画とは、変倍処理後の一つの処理画素ｆに対応する変倍処理前の原画素Ｆの範囲を示している。
【００３５】
次に、注目する処理画素ｆの基礎となる原画素Ｆに、線領域識別手段２３（図２参照）で認定された線画素が含まれているか否かについて判断される（Ｓ１３）。そして、注目する処理画素ｆが、線画素のみを含んでいる場合は（Ｓ１３；Ｙｅｓ、Ｓ１４；Ｎｏ）、この線画素の濃度値を処理画素ｆの濃度値とする（Ｓ１６，Ｓ１７）（「濃度決定手段」の機能）。
【００３６】
一方、注目する処理画素ｆの基礎となる原画素Ｆに、線画素とそれ以外の画素も含まれている場合において（Ｓ１３；Ｙｅｓ、Ｓ１４；Ｙｅｓ）、この処理画素ｆに対するこの線画素の寄与率が規定値以上であれば（Ｓ１５；Ｙｅｓ）、この線画素の濃度値を処理画素ｆの濃度値とする（Ｓ１６，Ｓ１７）（「濃度決定手段」の機能）。
【００３７】
ここで、寄与率とは、注目する処理画素ｆに対応する画素区画における線画素の面積比率が規定値に対して大きいか小さいか、またその他の重み付けの要素が加わって判断される。
【００３８】
具体的に説明すると、図５において注目する処理画素ｆ（１）〜ｆ（３）に対し、基礎となる原画素Ｆ（１）〜Ｆ（７）のうち、Ｆ（５）のみが線画素であったとする。この場合、線画素Ｆ（５）が画素区画に含まれる面積比率は、ｆ（２）よりもｆ（３）の方が大きいことが明らかである。よって、処理画素ｆ（１）の濃度値はＳ１３；Ｎｏで判断され、処理画素ｆ（２）の濃度値はＳ１３；Ｙｅｓ、Ｓ１４；Ｙｅｓ、Ｓ１５；Ｎｏで判断され、処理画素ｆ（３）の濃度値はＳ１３；Ｙｅｓ、Ｓ１４；Ｙｅｓ、Ｓ１５；Ｙｅｓで判断されることとなる。
【００３９】
そして、Ｓ１３又はＳ１５における判断がＮｏである場合は、注目する処理画素ｆの濃度値は、一般的な投影法等に基づいてその周辺画素の濃度値を考慮した配分演算により決定される（Ｓ１８，Ｓ１７）（「濃度演算手段」の機能）。
【００４０】
ここで、配分演算は、変倍率α＝０．４５であると仮定した場合、例えば図５に例示される数式（１）〜（４）等の演算を実行する濃度演算手段により、注目する処理画素ｆの濃度値は周辺画素の濃度値を考慮して実行される。
【００４１】
図６に基づいて、本実施形態を適用した画像縮小の効果について説明する。
【００４２】
図６（ａ）は縮小前の原画像の太線部分の幅方向の原画素の一行分を示し、図６（ｂ）は細線部分について同様に示している。なお、画素濃度の階調は０〜５の６段階で示されている。
【００４３】
図６（ｃ）及び図６（ｄ）は、それぞれ太線及び細線に対し画像縮小した場合の比較例であって、図３の動作フローにおいてＳ１３〜Ｓ１６のステップを省略し、全ての画素についてＳ１２→Ｓ１８→Ｓ１７ステップで画像の縮小処理を実施した結果である。これは、一般的な投影法に基づいて画像の縮小処理を実施する従来法に一致する。
【００４４】
結果は、太線の縮小は問題がないが、細線の縮小については中央部の濃度値が低下して不鮮明となってしまう問題がある。
【００４５】
図６（ｅ）及び図６（ｆ）は、第１の実施例についてであって、図３の動作フローにおいてＳ１５のステップを省略して実行した結果である。
【００４６】
結果は、細線を構成する画素の濃度値の低下が防止され、細線の視認性が向上する。しかし、一つの線画素が隣接する画素区間の境界に位置するときは、対応する二つの処理画素が高濃度に設定されるために、細線が太く印字される傾向になり、細線と太線の区別が困難になる場合もある。
【００４７】
図６（ｇ）及び図６（ｈ）は、第２の実施例についてであって、図３の動作フローを省略なく実行した結果である。
【００４８】
結果は、細字／細線領域を構成する画素の濃度値の低下が防止され、細線の視認性が向上する。一般的なＦＡＸのように最終的に２値化される場合は、第２の実施例は必要ない場合もあるが、画像を多値画像のまま縮小する場合は、第２の実施例によって細線と太線の区別も明確になる。
【００４９】
＜画像拡大の説明＞
図３のフローチャートに基づいて、本実施形態において画像を拡大させる場合の変倍処理手段２４の動作（画像形成方法）について説明する。なお、この動作を実行する各手段は、具体的な機能素子で体現される場合の他、コンピュータを制御する機能プログラムとして体現される場合も含まれる。
【００５０】
ラスタライズされたｊ×ｋ画素の原画像（図７上段）と、出力装置（ＦＡＸ装置３３（図１参照））の所望する主走査方向の解像度（ｐ画素）と、から求めた変倍率α＝ｐ／ｊが、α＞１の関係を満たせば、画像拡大（図７下段）の形成ルーチン（Ｓ２２〜Ｓ２８）に入る（Ｓ１１；Ｎｏ，Ｓ２１；Ｙｅｓ）。なお、α＝１の場合は、変倍処理が不要であるので、図３の動作フローはすぐに終了する（Ｓ１１；Ｎｏ，Ｓ２１；Ｎｏ）。
【００５１】
そして、図８に示されるように、一画素のピッチｓに対し、ｓ・αの間隔で表される画素区画を設定する（Ｓ２２）。この画素区画とは、変倍処理前の一つの原画素ｇに対応する変倍処理後の処理画素Ｇの範囲を示している。
【００５２】
次に、注目する処理画素Ｇの基礎となる原画素ｇに、線領域識別手段２３（図２参照）で認定された線画素が含まれているか否かについて判断される（Ｓ２３）。そして、注目する処理画素Ｇが、線画素のみを基礎としている場合は（Ｓ２３；Ｙｅｓ、Ｓ２４；Ｎｏ）、この線画素の濃度値を処理画素Ｇの濃度値とする（Ｓ２６，Ｓ２７）（濃度決定手段の機能）。
【００５３】
一方、注目する処理画素Ｇの基礎となる原画素ｇに、線画素とそれ以外の画素も含まれる場合において（Ｓ２３；Ｙｅｓ、Ｓ２４；Ｙｅｓ）、この処理画素Ｇに対するこの線画素の寄与率が規定値以上であれば（Ｓ２５；Ｙｅｓ）、この線画素の濃度値を処理画素Ｇの濃度値とする（Ｓ２６，Ｓ２７）（「濃度決定手段」の機能）。
【００５４】
ここで、寄与率とは、線画素に対応する画素区画が、注目する処理画素Ｇに占める比率が規定値に対して大きいか小さいか、またその他の重み付けの要素が加わって判断される。
【００５５】
具体的に説明すると、図８において注目する処理画素Ｇ（１）〜Ｇ（７）に対し、基礎となる原画素ｇ（１）〜ｇ（３）のうち、ｇ（２）のみが線画素であったとする。この場合、処理画素Ｇ（３）において線画素ｇ（２）に対応する画素区画の占める比率は、原画素ｇ（１）のそれよりも大きいことが明らかである。そして、処理画素Ｇ（５）において線画素ｇ（２）に対応する画素区画の占める比率は、原画素ｇ（３）のそれよりも小さいことが明らかである。
【００５６】
よって、Ｇ（１）Ｇ（２）Ｇ（６）Ｇ（７）の濃度値はＳ２３；Ｎｏで判断され、Ｇ（３）の濃度値はＳ２３；Ｙｅｓ、Ｓ２４；Ｙｅｓ、Ｓ２５；Ｙｅｓで判断され、Ｇ（４）の濃度値はＳ２３；Ｙｅｓ、Ｓ２４；Ｎｏで判断され、Ｇ（５）の濃度値はＳ２３；Ｙｅｓ、Ｓ２４；Ｙｅｓ、Ｓ２５；Ｎｏで判断されることとなる。
【００５７】
そして、Ｓ２３又はＳ２５における判断がＮｏである場合は、注目する処理画素Ｇの濃度値は、一般的な投影法等に基づいてその周辺画素の濃度値を考慮した配分演算により決定される（Ｓ２８，Ｓ２７）（「濃度演算手段」の機能）。
【００５８】
図９に基づいて、本実施形態を適用した画像拡大の効果について説明する。
【００５９】
図９（ａ）は拡大前の原画像の太線部分の幅方向の原画素の一行分を示し、図９（ｂ）は細線部分について同様に示している。なお、画素濃度の階調は０〜５の６段階で示されている。
【００６０】
図９（ｃ）及び図９（ｄ）は、それぞれ太線及び細線に対し画像拡大した場合の比較例であって、図３の動作フローにおいてＳ１３〜Ｓ１６のステップを省略し、全ての画素についてＳ１２→Ｓ１８→Ｓ１７ステップで画像の拡大処理を実施した結果である。
【００６１】
結果は、細線の拡大は問題がないが、太線の拡大については周縁部の画素の濃度値が低下して不鮮明となってしまう問題がある。
【００６２】
図９（ｅ）及び図９（ｆ）は、第１の実施例についてであって、図３の動作フローにおいてＳ２５のステップを省略して実行した結果である。
【００６３】
結果は、太線の周縁部を構成する画素の濃度値の低下が防止され、太線の視認性が向上する。しかし、一つの線画素が隣接する画素区間の境界に位置するときは、対応する二つの処理画素が高濃度に設定されるために、細線が太く印字される傾向になり、細線と太線の区別が困難になる場合もある。
【００６４】
図９（ｇ）及び図９（ｈ）は、第２の実施例についてであって、図３の動作フローを省略なく実行した結果である。
【００６５】
結果は、太線領域の周縁部を構成する画素の濃度値の低下が防止され、太線の視認性が向上するとともに、細線と太線の区別も明確になる。
【００６６】
以上説明したように、ラスタ形式の画像を拡大及び縮小する際に、従来一般に採用されてきた投影法では、周辺画素の濃度値が注目画素の濃度値に寄与するため、変倍後の線領域の画素の濃度値は周辺に分配されて不明瞭になる問題があった。このため、従来においては、縮小すると細字／細線領域が、拡大すると太線領域が、視認性の低下する問題があった。
【００６７】
しかし、本発明によれば線領域の中心側を構成する画素の濃度値は、変倍の前後において不変であるために、視認性の低下が防止される。
【００６８】
以上の説明において、本実施形態では、ＬＡＮ上の端末装置３１において、プリンタ部１４に出力用のページ記述言語（例えばＰｏｓｔ  Ｓｃｒｉｐｔ等）で表現された画像データを、ＦＡＸ装置３３が受信することができるファイルフォーマットに変換する場合を例示した。しかし、本発明は、このような場合に適用が限定されるものではなく、ｊ×ｋ個の画素からなる多値画像をｐ×ｑ個の画素からなる多値画像又は２値画像に変換する目的を有していれば適宜利用できる。
【００６９】
また、本実施形態では、複合機１０のＰＣ−ＦＡＸ機能に適用される画像形成装置及び方法について説明したが、本発明に係る画像形成装置及び方法はこれに限定されるものではない。具体的には、マトリックス状に画素が配置される表示装置上に画像を拡大、縮小して表示する技術に適用することができ、さらに任意倍率で拡大・縮小して印刷する技術にも適用することができる。
【００７０】
また、画像を構成する画素のうち、線領域に含まれる線画素であるか否かの判断は、線領域識別手段２３により実行することを例示した。しかし、このような線領域識別手段２３の機能は、厳密である必要は無く、画素の濃度値から閾値を用いて判断するような簡易的なものであってもよい。
【符号の説明】
【００７１】
１０…複合機、１１…通信インターフェイス、１２…スキャナ部、１３…メモリ部、１４…プリンタ部、１５…ＦＡＸモデム、１６…制御部、２０…画像形成装置、２１…データ入力手段、２２…画像データ生成手段、２３…線領域識別手段（識別手段）、２４…変倍処理手段、２５…データ出力手段、３１…端末装置、３２…電話回線網、３３…ＦＡＸ装置、Ｓ１３…識別ステップ、Ｓ１７…濃度決定ステップ、Ｓ１８…濃度演算ステップ。
【図１】
2009189010.tif 000003
【図２】
2009189010.tif 000004
【図３】
2009189010.tif 000005
【図４】
2009189010.tif 000006
【図５】
2009189010.tif 000007
【図６】
2009189010.tif 000008
【図７】
2009189010.tif 000009
【図８】
2009189010.tif 000010
【図９】
2009189010.tif 000011
【図１０】
2009189010.tif 000012